(57)【要約】【課題】テンポまたはタイミングの異なる２つのオーディオ信号を切り換える際に、出力信号に同期したテンポ信号を出力する。【解決手段】２つのオーディオ信号からそれぞれテンポを検出するテンポ検出手段３０と、フェーダ位置情報に応じたチャンネルを選択する旨の選択信号を出力する情報解析手段４１と、選択信号に応じたチャンネルを選択しテンポ信号を出力する選択手段４０を備える。【選択図】図７
2006279733.tif 000002
【特許請求の範囲】
【請求項１】
複数チャンネルのオーディオ信号を入力し、該複数チャンネルのオーディオ信号からチャンネル毎にテンポを検出する複数のテンポ検出手段と、
操作子と、
前記操作子の状態を解析することにより、前記複数のテンポ抽出手段で抽出された複数のテンポを出力するチャンネルを選択し、該選択されたチャンネルに応じた選択信号を出力する情報解析手段と、
前記複数のテンポ検出手段で検出されたテンポを入力し、前記情報解析手段から出力された選択信号に応じたチャンネルのテンポを出力する選択手段と
を有するテンポ信号出力装置。
【請求項２】
前記操作子は、位置に応じてチャンネル毎に重み付け係数を設定するチャンネルフェーダであり、
前記情報解析手段は、前記チャンネル毎に設定された重み付け係数を比較することにより、前記複数のテンポ検出手段で検出されたテンポを出力するチャンネルを選択する
ことを特徴とする請求項１記載のテンポ信号出力装置。
【請求項３】
前記操作子は、位置に応じて前記複数チャンネルのオーディオ信号を加算する割合を示す重み付け係数を設定するクロスフェーダであり、
前記情報解析手段は、前記重み付け係数をチャンネル毎に比較することにより、前記複数のテンポ検出手段で検出されたテンポを出力するチャンネルを選択する
ことを特徴とする請求項１記載のテンポ信号出力装置。
【請求項４】
前記操作子は、位置に応じてチャンネル毎に重み付け係数を設定するチャンネルフェーダと、位置に応じて前記複数チャンネルのオーディオ信号を加算する割合を示す重み付け係数を設定するクロスフェーダであり、
前記情報解析手段は、前記チャンネルフェーダで決定される重み付け係数と前記クロスフェーダとによりそれぞれ設定される重み付け係数をチャンネル毎に加算し、該加算した重み付け係数をチャンネル毎に比較することにより、前記テンポ検出手段で検出されたテンポを出力するチャンネルを選択する
ことを特徴とする請求項１記載のテンポ信号出力装置。
【請求項５】
複数チャンネルのオーディオ信号を入力し、該複数チャンネルのオーディオ信号からチャンネル毎にテンポを検出する複数のテンポ検出手段と、
位置に応じた係数が設定される操作子と、
前記操作子の位置に基づいた係数を取得して出力する情報解析手段と、
前記複数のテンポ検出手段より検出されたテンポに対し、前記情報解析手段より出力された係数をチャンネル毎に付与して平均して外部に出力する重み付け平均手段と
を有するテンポ信号出力装置。
【請求項６】
複数チャンネルのオーディオ信号を入力し、該複数チャンネルのオーディオ信号からチャンネル毎にテンポを検出する複数のテンポ検出手段と、
位置に応じてチャンネル毎に重み付け係数を設定する操作子と、
前記操作子に応じて設定されたチャンネル毎の重み付け係数を比較し、前記複数のテンポ抽出手段で抽出された複数のテンポのうち、出力するチャンネルを選択し、該選択されたチャンネルに応じた選択信号を出力する情報解析手段と、
前記複数のテンポ検出手段で検出されたテンポを入力し、前記情報解析手段から出力された選択信号に応じたチャンネルのテンポを出力する選択手段と、
前記複数チャンネルのオーディオ信号に対し、前記操作子に応じて設定された重み付け係数をチャンネル毎に付与し、該重み付けされた複数のオーディオ信号を加算して出力する重み付け加算手段と
を有するオーディオミキシング装置。
【請求項７】
前記操作子は位置に応じてチャンネル毎に独立して重み付け係数を設定する複数のチャンネルフェーダと、位置に応じて前記複数チャンネルのオーディオ信号を加算する割合を示す重み付け係数を設定するクロスフェーダであり、
前記重み付け加算手段では、前記複数のオーディオ信号に対し、前記複数のチャンネルフェーダで設定された重み付け係数を付与した後に前記クロスフェーダで設定された重み付け係数を付与する
ことを特徴とする請求項５記載のオーディオミキシング装置。
【請求項８】
前記重み付け加算手段で出力された信号に対して所定の効果を付与するエフェクト手段を更に有し、
前記選択手段で出力されたテンポ信号に応じて前記エフェクト手段の所定のパラメータの制御を行う
ことを特徴とする請求項５または６に記載のオーディオミキシング装置。
【発明の詳細な説明】
【技術分野】
【０００１】
この発明は複数のオーディオ信号より検出したテンポを選択して出力する装置に関する。
【背景技術】
【０００２】
近年、クラブやディスコ等において、踊りに適した音楽を、レコードプレーヤやコンパクトディスクプレーヤ等のオーディオ再生装置を操作して再生するディスク・ジョッキー（ＤＪ）に加えて、再生中の音楽に合わせて映像を編集し、編集した映像を会場内の鑑賞用表示装置に表示させる操作を行うビジュアル・ジョッキー（ＶＪ）と呼ばれる映像編集者が存在する。
【０００３】
ＤＪ（以下操作者と呼ぶ）は図１に示すようなシステムを使用し、テンポ変更機能を備える２つのオーディオ再生装置と、２つのオーディオ再生装置から出力されたオーディオ信号をミキシングして出力するオーディオミキサ（以下単にミキサと呼ぶ）を操作して、左右のオーディオ再生装置の出力を切り換えながら連続して音楽の再生を行う。
【０００４】
特にダンスミュージックでは、常に一定のテンポを保つために、２つのオーディオ再生装置の切替を行う際に予め２つのオーディオ再生装置で再生される曲のテンポを手動で合わせ、ミキサ操作によりクロスフェードさせて切り換えることにより、一定のテンポを保ったまま次の曲への切り換えを行う「テンポ合わせ」という行為がなされる。
【０００５】
「テンポ合わせ」は、例えば、ミキサのクロスフェーダ１２を操作してチャンネルＡ（オーディオ再生装置２ａ）からチャンネルＢ（オーディオ再生装置２ｂ）へ曲を切り換える場合、操作者はチャンネルＡ側の曲のテンポにチャンネルＢ側の曲のテンポ及びタイミングを、オーディオ再生装置２ｂのテンポ変換手段を操作して合わせておく。こうしてチャンネルＡ、Ｂの曲のテンポを合わせてからクロスフェーダ１２をチャンネルＡ側からチャンネルＢ側へ操作して曲の切り換えを行うことにより行う。
【０００６】
また、映像編集者は、指定したテンポに応じて映像が生成・再生される映像再生装置を使用して会場内に映像の表示を行う。この際、操作者が再生している曲に合ったテンポを手動で設定することにより、再生中の音楽に同期した映像の表示を行うことができる。
【０００７】
ところで、楽曲のテンポに応じた画像を表示するものは、カラオケ装置などで代表されるように従来から知られている。また、オーディオ信号より抽出したテンポに同期した映像エフェクト処理を行うものとして、特許文献１が提案されている。これらの技術を上述の環境で使用することにより、ミキサでミキシング出力されたオーディオ信号から曲のテンポを抽出し、このテンポに同期したタイミングで映像を映像ＤＢより読み出すことにより、会場内で再生される曲と表示される映像を同期させることができる。
【特許文献１】特開２００２−１１２１１３号公報
【発明の開示】
【発明が解決しようとする課題】
【０００８】
しかしながら、上述の例では操作者がテンポ合わせを正確に行えることを前提としており、初心者のようにうまくテンポ合わせを行うことの出来ない場合には、次のような問題点が生じる。
図２はテンポ合わせが上手くいった場合において検出されるテンポの様子を示したものであり、図３はテンポ合わせが上手くいかなかった場合に検出されるテンポの様子を示したものである。
図２、図３の左側には、チャンネルＡ、チャンネルＢそれぞれのオーディオ信号から検出したテンポ（ピークのタイミング）を示し、右側にはチャンネルＡ、チャンネルＢのオーディオ信号に点線で示す重み付け係数を付与して加算した信号から検出したテンポを示している。
【０００９】
図２のような場合では、チャンネルＡとチャンネルＢのテンポが正確に合っているので、クロスフェード時にミキシングされても、出力されるオーディオ信号から検出されるテンポは変わらず、ミキシング信号からでも正確なテンポを検出することができる。
【００１０】
しかし、テンポ・タイミング合わせが上手ではない使用者の場合、図３に示すような状態になる。これは、Ａのテンポに合わせたつもりだが、若干ずれている状態であり、この状態のままクロスフェードさせてしまうと、ミキサ出力信号は図３の加算器の右側のようなテンポが検出されてしまう。これは、オーディオ信号の所定値以上の値をピークとして検出してテンポ検出を行うため、クロスフェーダの位置が中央付近のような場所にあるとチャンネルＡ、Ｂ両方が大体同じレベルで加算されるため、両方のオーディオ信号がピークとして残ってしまうために生じるものである。このため、最終的に検出されるテンポはオーディオ信号Ａ、Ｂのどちらにも合わない、誤ったテンポが検出されることになる。
このように誤ったテンポが映像再生装置に入力されてしまうと、会場内に再生されている曲と同期されない映像が表示されることとなり、非常に不快なものとなってしまう。
本願発明はこのような事情に鑑みてなされたものであり、操作者のテンポ合わせが上手くいかない状態でクロスフェードされる場合に、出力されるテンポをスムーズに切り換えることを目的とする。
【課題を解決するための手段】
【００１１】
請求項１に記載の本発明のテンポ信号出力装置は、
複数チャンネルのオーディオ信号を入力し、該複数チャンネルのオーディオ信号からチャンネル毎にテンポを検出する複数のテンポ検出手段と、
操作子と、
前記操作子の状態を解析することにより、前記複数のテンポ抽出手段で抽出された複数のテンポを出力するチャンネルを選択し、該選択されたチャンネルに応じた選択信号を出力する情報解析手段と、
前記複数のテンポ検出手段で検出されたテンポを入力し、前記情報解析手段から出力された選択信号に応じたチャンネルのテンポを出力する選択手段と
を有することを特徴としている。
請求項２に記載の発明は、上記発明において、
前記操作子は、位置に応じてチャンネル毎に重み付け係数を設定するチャンネルフェーダであり、
前記情報解析手段は、前記チャンネル毎に設定された重み付け係数を比較することにより、前記複数のテンポ検出手段で検出されたテンポを出力するチャンネルを選択する
ことを特徴としている。
請求項３に記載の発明は、上記発明において、
前記操作子は、位置に応じて前記複数チャンネルのオーディオ信号を加算する割合を示す重み付け係数を設定するクロスフェーダであり、
前記情報解析手段は、前記重み付け係数をチャンネル毎に比較することにより、前記複数のテンポ検出手段で検出されたテンポを出力するチャンネルを選択する
ことを特徴としている。
請求項４に記載の発明は、上記発明において、
前記操作子は、位置に応じてチャンネル毎に重み付け係数を設定するチャンネルフェーダと、位置に応じて前記複数チャンネルのオーディオ信号を加算する割合を示す重み付け係数を設定するクロスフェーダであり、
前記情報解析手段は、前記チャンネルフェーダで決定される重み付け係数と前記クロスフェーダとによりそれぞれ設定される重み付け係数をチャンネル毎に加算し、該加算した重み付け係数をチャンネル毎に比較することにより、前記テンポ検出手段で検出されたテンポを出力するチャンネルを選択する
ことを特徴としている。
請求項５に記載の本発明のテンポ信号出力装置は、
複数チャンネルのオーディオ信号を入力し、該複数チャンネルのオーディオ信号からチャンネル毎にテンポを検出する複数のテンポ検出手段と、
位置に応じた係数が設定される操作子と、
前記操作子の位置に基づいた係数を取得して出力する情報解析手段と、
前記複数のテンポ検出手段より検出されたテンポに対し、前記情報解析手段より出力された係数をチャンネル毎に付与して平均して外部に出力する重み付け平均手段と
を有することを特徴としている。
請求項６に記載の本発明のオーディオミキシング装置は、
複数チャンネルのオーディオ信号を入力し、該複数チャンネルのオーディオ信号からチャンネル毎にテンポを検出する複数のテンポ検出手段と、
位置に応じてチャンネル毎に重み付け係数を設定する操作子と、
前記操作子に応じて設定されたチャンネル毎の重み付け係数を比較し、前記複数のテンポ抽出手段で抽出された複数のテンポのうち、出力するチャンネルを選択し、該選択されたチャンネルに応じた選択信号を出力する情報解析手段と、
前記複数のテンポ検出手段で検出されたテンポを入力し、前記情報解析手段から出力された選択信号に応じたチャンネルのテンポを出力する選択手段と、
前記複数チャンネルのオーディオ信号に対し、前記操作子に応じて設定された重み付け係数をチャンネル毎に付与し、該重み付けされた複数のオーディオ信号を加算して出力する重み付け加算手段と
を有することを特徴としている。
請求項７に記載の本発明は、上記発明において、
前記操作子は位置に応じてチャンネル毎に独立して重み付け係数を設定する複数のチャンネルフェーダと、位置に応じて前記複数チャンネルのオーディオ信号を加算する割合を示す重み付け係数を設定するクロスフェーダであり、
前記重み付け加算手段では、前記複数のオーディオ信号に対し、前記複数のチャンネルフェーダで設定された重み付け係数を付与した後に前記クロスフェーダで設定された重み付け係数を付与する
ことを特徴としている。
請求項８に記載の本発明は、上記発明において、
前記重み付け加算手段で出力された信号に対して所定の効果を付与するエフェクト手段を更に有し、
前記選択手段で出力されたテンポ信号に応じて前記エフェクト手段の所定のパラメータの制御を行う
ことを特徴としている。
【発明の効果】
【００１２】
本願発明によれば、テンポが完全に同期しないオーディオ信号を切り換える場合であっても、操作子の位置に応じて選択された方のオーディオ信号に同期したテンポ信号を出力することができるので、余分な操作をせずに常に会場内で再生されているオーディオ信号に同期したテンポを出力することができる。
【発明を実施するための最良の形態】
【００１３】
以下、図面を参照し、本発明の実施の形態について説明する。
図４は本発明に係るシステムの全体構成を示している。図４において、このシステムは２つのオーディオ再生装置２（２ａ、２ｂ）、ミキサ１、放音手段４（アンプ５、スピーカ６）、映像再生装置７から構成される。
【００１４】
オーディオ再生装置２は例えばアナログレコードプレーヤ、ＣＤプレーヤ、ハードディスクオーディオプレーヤ等であり、各媒体に記憶されたオーディオ信号を再生し出力する装置であり、再生されるオーディオ信号のテンポ（ピッチ／回転数を含む）を調整するテンポ調整手段３を備える。ミキサ１はステレオ２系統のオーディオ信号（オーディオ再生装置２ａからのオーディオ信号をチャンネルＡ、オーディオ再生装置２ｂからのオーディオ信号をチャンネルＢとする）に複数のミキサ操作子（フェーダ）の位置に応じた重み付けを行って加算し外部へ出力する。ミキサ操作子はチャンネルフェーダ１１（１１ａ、１１ｂ）、クロスフェーダ１２、マスタフェーダ１３からなり、各チャンネルに入力されたオーディオ信号は図５に示す順に各フェーダの位置に対応した重み付けがされ、加算されてミキシング信号として出力される。各フェーダで重み付けられる係数は０（最小）〜１（最大）の値で設定される。チャンネルフェーダ１１、マスタフェーダ１３はフェーダ位置が上にあるほど大きな重み係数「１」が掛かり、一番下の位置では係数「０」がかけられる。また、クロスフェーダの重み付け係数は図６に示すように、フェーダ位置が左にあるほどチャンネルＡに大きい重み「１」が掛かるとともに、チャンネルＢには小さい重み「０」が掛かり、フェーダ位置が右にあるほどチャンネルＢに大きい重み「１」が掛かるとともに、チャンネルＡには小さい重み「０」が掛けられる。本実施例においては、重み付け係数のカーブは図６に示すように線形になっているが、これに限られず指数関数のようなカーブであってもかまわない。
ミキサ１から出力されたミキシング信号は放音手段４（アンプ５、スピーカ６）により放音される。
【００１５】
また、ミキサ１の内部には同期信号生成装置２０を備え、オーディオ信号より検出したテンポに基づきテンポ信号を生成して外部へ出力する。同期信号生成装置２０については後述する。７は映像再生装置であり、内部に記憶された動画像・静止画像をミキサ１から出力された同期信号に同期して読み出して出力し、図示せぬプロジェクタやモニタなど表示装置により映像が表示される。
【００１６】
（第１実施形態）
図７は本発明の同期信号生成手段２０の機能ブロック図を示している。
ミキサ１の内部に備えられた同期信号生成手段２０には２つのオーディオ再生装置から出力されたオーディオ信号がチャンネルＡ、チャンネルＢの２系統でそれぞれ入力され、各系統にＡ／Ｄ変換器２１、フィルタ２２、テンポ検出手段３０が備えられ、各系統から検出されたテンポを選択手段４０により選択し、外部へテンポ信号を出力する。Ａ／Ｄ変換器２１は入力されたアナログオーディオ信号をディジタル信号に変換する。フィルタ２２はＡ／Ｄ変換器２１から出力されたディジタル信号を入力しフィルタ処理を行い出力する。フィルタ処理は信号のリズムを検出し易い帯域の周波数を通過させる帯域フィルタからなり、例えばバスドラムのような中低域のみを通過させるバンドパスフィルタから構成される。テンポ検出手段３０はピーク検出器３１、カウンタ３２、テンポ算出器３３から構成され、ピーク検出器３１はフィルタ２２から出力された信号のレベルが所定値以上であった場合にピークとして検出し、ピーク検出信号を出力する。クロック３３は一定周波数のクロック信号（例えば２０ＭＨｚ、５０ｎｓごとに１クロック出力）をカウンタに出力する。カウンタ３２はクロック３３から出力されたクロック信号の数をカウントすることにより、ピーク検出信号間の時間間隔を計測する。
【００１７】
テンポ算出器３３はカウンタ３２から出力されたカウント値を入力し、ＢＰＭ（Ｂｅａｔ  Ｐｅｒ  Ｍｉｎｕｔｅ）の算出を行い、テンポ信号として選択回路に出力する。ＢＰＭは一分間に含まれる４分音符の数により曲のテンポを表すもので、例えばピーク検出器で４分音符のタイミングにピークが検出され、カウンタ３２から出力されるカウント値が０．５ｓであるとき、ＢＰＭ＝１２０と算出される。
【００１８】
チャンネルフェーダ１１、クロスフェーダ１２はミキサに備えられ、各フェーダの位置に応じて重み付け係数が設定される。チャンネルフェーダ１１はチャンネル毎にチャンネルフェーダ１１ａ、チャンネルフェーダ１２ｂが備えられ、チャンネル毎に独立して重み付け係数の設定を行う。クロスフェーダ１２はチャンネルＡのオーディオ信号とチャンネルＢのオーディオ信号を加算する割合を示す係数が設定される。
情報解析手段４１はミキサ１に備えられたチャンネルフェーダ１１、クロスフェーダ１２からそれぞれのフェーダの位置に応じて設定された重み付け係数を取得して解析し、選択回路４０に選択信号を出力する。
情報解析手段４１では、次の条件のいずれかで各フェーダの位置に応じて設定された重み付け係数を解析し、選択情報を出力する。
１．チャンネルフェーダ１１で設定された重み付け係数により選択
２つのチャンネルフェーダ（１１ａ、１１ｂ）で設定された重み付け係数を比較し、チャンネルＡの係数がチャンネルＢの係数より大きければチャンネルＡを選択する旨の選択信号を出力し、チャンネルＡの係数がチャンネルＢの係数より小さければチャンネルＢを選択する旨の選択信号を出力する。
２．クロスフェーダ１２の位置により選択
クロスフェーダ１２が中央より左側（チャンネルＡ寄り）にある場合、選択回路にてチャンネルＡを選択する旨の選択信号を出力し、中央より右側（チャンネルＢ寄り）にある場合、チャンネルＢを選択する旨の選択信号を出力する。
３．チャンネルフェーダ１１、クロスフェーダ１２の両方により選択
チャンネルフェーダ１１、クロスフェーダ１２各々の位置により設定される重み付け係数をチャンネルごとに加算し、大きいほうのチャンネルを選択信号として出力する。
例えば、チャンネルフェーダ１１ａに係数０．４、チャンネルフェーダ１１ｂに０．８、クロスフェーダ位置が中央よりやや左の位置でチャンネルＡに係数０．４、チャンネルＢに係数０．６が設定されている場合、
チャンネルＡ：０．４＋０．４＝０．８
チャンネルＢ：０．８＋０．６＝１．４
となり、チャンネルＢの方が大きいため、チャンネルＢを選択する旨の選択信号を出力する。
【００１９】
以上のように情報解析手段４１から出力された選択信号に応じて、選択回路４０ではチャンネルＡまたはチャンネルＢのテンポ信号を外部へ出力する。
これにより外部の映像再生手段（図示せず）はテンポ信号を受け取り、このテンポ信号に同期した映像を再生することができる。
【００２０】
（第２実施形態）
上述の実施例では、ミキサ操作子（チャンネルフェーダ１１、クロスフェーダ１２）の位置に応じてテンポ信号を出力するチャンネルの選択を行ったが、選択回路４０の替わりに重み付け平均手段５０を備え、チャンネルＡ、チャンネルＢそれぞれのテンポ信号を重み付け平均してもよい。図８には第２実施形態に係る機能ブロック図を示している。
【００２１】
図８に示す機能ブロック図は、選択回路４０に替わって重み付け平均手段５０が備えられている他は、上述の実施例と同様の構成である。
上述の実施例における、情報解析手段４１は条件１〜３によりチャンネルＡまたはチャンネルＢを選択する旨の選択信号を出力するものであったが、本実施例では条件判断に用いる係数そのものを重み付け平均手段５０へ出力し、この係数に基づいてチャンネルＡ、チャンネルＢそれぞれのテンポ信号に重み付けを行い平均することにより平均テンポ信号を出力する。
【００２２】
たとえば、チャンネルＡでＢＰＭ＝１２０．０のテンポが検出され、チャンネルＢでＢＰＭ＝１２０．５のテンポが検出されたとする。ここで、クロスフェーダ位置が中央よりやや左側にあって、情報解析手段４１からチャンネルＡに０．４、チャンネルＢに０．６の重み付け係数が出力されたとき、出力される平均テンポ信号は
１２０×０．４＋１２０．５×０．６＝１２０．３
となる。これによれば、テンポ合わせが完全に出来なくとも、概ね曲のテンポにあったテンポ信号が出力される。
【００２３】
（第３実施形態）
上述の形態では、ミキサ１より出力したテンポ信号を外部の映像再生装置に入力することにより、ミキサ１から出力するオーディオ信号と映像再生装置から出力される映像のテンポの同期を行ったが、ミキサ１から出力されるオーディオ信号と同期させるものは映像再生装置に限るものではない。
図９に第３の実施形態における機能ブロック図を示す。上述の実施形態にエフェクト手段６０を備え、エフェクト手段６０はチャンネルＡ、チャンネルＢのオーディオ信号を重み付け加算手段（１１、１２）により各フェーダ位置に応じた重み付け加算された信号に対して所定のエフェクト処理を行う。エフェクトの種類はディレイ、コーラス、フェイザー、ワウ、フィルター、トレモロなどから所定のエフェクトが設定される。
上述の実施例と同様にチャンネルＡ、チャンネルＢそれぞのオーディオ信号からテンポを検出し、選択手段により選択されたテンポ信号をエフェクト手段６０に出力する。エフェクト手段６０では入力したテンポ信号に応じて、エフェクトのパラメータの制御を行う。例えば、設定されたエフェクトの種類がディレイであればテンポ信号に応じたテンポでディレイタイムを設定し、コーラス等のエフェクトであればエフェクト手段に内蔵された図示しないＬＦＯ（Ｌｏｗ  Ｆｒｅｑｕｅｎｃｙ  Ｏｓｃｉｌａｔｏｒ）の周波数をテンポ信号に応じて設定することにより、テンポ信号のテンポに応じたエフェクト処理を行う。
【００２４】
（その他の実施形態）
本願の実施形態は上述の実施例に限られるものではない。
上述の実施形態では、テンポ算出器３３によりピークの時間間隔をＢＰＭに変換して出力したが、ピーク検出器でピークが検出されるたびにピーク検出信号をテンポ信号としてそのまま選択手段４０に出力してもよい。また、本願ではＡ／Ｄ変換器２１でアナログオーディオ信号をディジタル信号へ変換したが、ピーク検出手段でピークが検出できればＡ／Ｄ変換器２１は無くてもよい。また、本願のテンポ検出手段３０ではピーク間の時間間隔をテンポとして検出する方法であったが、周知の各種テンポ検出方法を利用することができる。
【図面の簡単な説明】
【００２５】
【図１】従来のＤＪシステムを示した図である。
【図２】従来のクロスフェード切替時のテンポを表した図である。（テンポ合わせ成功時）
【図３】従来のクロスフェード切替時のテンポを表した図である。（テンポ合わせ失敗時）
【図４】本願発明に係る同期信号生成装置を内蔵したミキサの適用例を表した図である。
【図５】ミキサ操作子の重み付けの順を表した図である。
【図６】クロスフェーダ１２に設定される重み付け係数を表した図である。
【図７】本願発明の第１実施形態に係る同期信号生成手段２０の機能ブロックを表した図である。
【図８】本願発明の第２実施形態に係る同期信号生成手段２０の機能ブロックを表した図である。
【図９】本願発明の第３実施形態に係る同期信号生成手段２０の機能ブロックを表した図である。
【符号の説明】
【００２６】
１・・・オーディオミキサ、２（２ａ、２ｂ）・・・オーディオ再生装置、３・・・テンポ制御手段、４・・・放音手段、５・・・アンプ、６・・・スピーカ、７・・・映像再生装置、１１（１１ａ、１１ｂ）・・・チャンネルフェーダ、１２・・・クロスフェーダ、１３・・・マスタフェーダ、２０・・・同期信号生成手段、２１・・・Ａ／Ｄ変換器、２２・・・フィルタ、３０・・・テンポ検出手段、３１・・・ピーク検出器、３２・・・カウンタ、３３・・・クロック、３４・・・テンポ算出器、４０・・・選択回路、４１・・・情報解析手段、５０・・・重み付け平均手段、６０・・・エフェクト手段
【図１】
2006279733.tif 000003
【図２】
2006279733.tif 000004
【図３】
2006279733.tif 000005
【図４】
2006279733.tif 000006
【図５】
2006279733.tif 000007
【図６】
2006279733.tif 000008
【図７】
2006279733.tif 000009
【図８】
2006279733.tif 000010
【図９】
2006279733.tif 000011